【手続補正書】
【提出日】平成15年11月5日(2003.11.5)
【手続補正１】
【補正対象書類名】明細書
【補正対象項目名】特許請求の範囲
【補正方法】変更
【補正の内容】
【特許請求の範囲】
【請求項１】
車両入出庫口にて自動車を載置するための複数のパレットに自動車を搬出入するとともに、前記複数のパレットを相互に連結した状態で循環移動、あるいは、前記複数のパレットのうち特定のパレットを往復移動させるパレット駆動手段と、
前記パレット駆動手段を制御するためのパレット駆動制御手段と
を備えた機械式駐車設備を遠隔制御する機械式駐車設備の遠隔制御装置であって、
前記機械式駐車設備から離れた場所と所定の通信手段を介して所定の信号を交信するためのアクセス手段と、
前記アクセス手段と接続され、前記アクセス手段からの前記所定の信号に基づいて、所望の時刻に前記複数のパレットのうち所望のパレットを前記車両入出庫口に待機させるように、前記パレット駆動制御手段へ所定の時刻に所定の１つの命令を出力する中央処理演算制御手段と
を有し、
前記中央処理演算制御手段は、
時間を計測する手段と、
前記所定の信号に所定の変換を加える変換手段と、
前記変換手段により変換された信号を記憶する記憶手段と、
前記パレット駆動制御手段から出力される前記複数のパレットのある時刻における位置に関する情報を含む前記機械式駐車設備の状態に関する情報信号により、前記位置から前記入出庫口まで前記パレットを移動するのに要する時間である入出庫時間を演算する手段と、
前記入出庫時間と、前記アクセス手段から出力される所望の入出庫時刻として設定される入出庫予約時刻とに基づいて、前記入出庫予約時刻から前記入出庫時間を差し引いた時刻が、現在の時刻と同じか、または、現在の時刻より後かという条件を演算判断する手段と、
前記条件の演算判断を一定時間ごとに更新しつつ、所望の前記パレットについて、前記条件が満たされるときに、前記所定の１つの命令として前記パレット駆動制御手段へ入出庫命令を出力する手段と
を含み、
出庫にあたっては、前記所望のパレットが前記車両入出庫口に到達した時点で、前記所望のパレットが前記入出庫口に待機していることを前記機械式駐車設備から離れた場所へ知らせるように前記アクセス手段へ所定の他の命令を出力する、機械式駐車設備の遠隔制御装置。
【請求項２】
車両入出庫口に、自動車を載置するための複数のパレットに自動車を搬出入するとともに、前記複数のパレットを相互に連結した状態で循環移動、あるいは、前記複数のパレットのうち特定のパレットを往復移動させるパレット駆動手段と、
前記パレット駆動手段を制御するためのパレット駆動制御手段と、
前記パレット駆動制御手段に、自動車の搬出入のための命令を入力するパレット駆動命令入力手段と
を備えた機械式駐車設備を遠隔制御する機械式駐車設備の遠隔制御装置であって、
前記機械式駐車設備から離れた場所と所定の通信手段を介して所定の信号を交信するためのアクセス手段と、
前記アクセス手段と接続され、前記アクセス手段からの前記所定の信号に基づいて、所望の時刻に前記複数のパレットのうち所望のパレットを前記車両入出庫口に待機させるように、前記パレット駆動制御手段へ所定の時刻に所定の１つの命令を出力する中央処理演算制御手段と
を有し、
前記中央処理演算制御手段は、
時間を計測する手段と、
前記所定の信号に所定の変換を加える変換手段と、
前記変換手段により変換された信号を記憶する記憶手段と、
前記パレット駆動制御手段から出力される前記複数のパレットのある時刻における位置に関する情報を含む前記機械式駐車設備の状態に関する情報信号により、前記位置から前記入出庫口まで前記パレットを移動するのに要する時間である入出庫時間を演算する手段と、
前記入出庫時間と、前記アクセス手段から出力される所望の入出庫時刻として設定される入出庫予約時刻とに基づいて、前記入出庫予約時刻から前記入出庫時間を差し引いた時刻が、現在の時刻と同じか、または、現在の時刻より後かという条件を演算判断する手段と、
前記条件の演算判断を一定時間ごとに更新しつつ、所望の前記パレットについて、前記条件が満たされるときに、前記所定の１つの命令として前記パレット駆動制御手段へ入出庫命令を出力する手段と
を含み、
前記所望のパレットが前記入出庫口に到達した後に、前記パレット駆動命令手段により、前記所望のパレットに載置された自動車とは異なる自動車の搬出入のための命令が入力された場合には、該自動車の搬出入が完了した時点で、前記所望のパレットを前記入出庫口に移動待機させるように前記パレット駆動制御手段へ所定の他の命令を出力する、機械式駐車設備の遠隔制御装置。
【請求項３】
前記中央処理演算制御手段は、
前記所望のパレットが前記車両入出庫口に到達した時点で、前記機械式駐車設備から離れた場所へ前記所望のパレットが前記入出庫口に待機していることを知らせるように前記アクセス手段へ所定のさらに他の命令を出力する、請求項２記載の機械式駐車設備の遠隔制御装置。
【請求項４】
前記通信手段として電話回線を、前記アクセス手段として音声モデムを、前記変換手段としてデュアル・トーン・マルチ・フリーケンシー・エンコーダをそれぞれ用いる、請求項１〜３のいずれかに記載の機械式駐車設備の遠隔制御装置。
【請求項５】
前記通信手段および前記アクセス手段として、ローカルエリアネットワークを用いる、請求項１〜３のいずれかに記載の機械式駐車設備の遠隔制御装置。
【手続補正２】
【補正対象書類名】明細書
【補正対象項目名】０００９
【補正方法】変更
【補正の内容】
【０００９】
【課題を解決するための手段】
本発明の１つの局面における機械式駐車設備の遠隔制御装置は、車両入出庫口にて自動車を載置するための複数のパレットに自動車を搬出入するとともに、複数のパレットを相互に連結した状態で循環移動、あるいは、複数のパレットのうち特定のパレットを往復移動させるパレット駆動手段と、そのパレット駆動手段を制御するためのパレット駆動制御手段とを備えた機械式駐車設備を遠隔制御する機械式駐車設備の遠隔制御装置であって、アクセス手段と中央処理演算制御手段とを有している。アクセス手段は、機械式駐車設備から離れた場所と所定の通信手段を介して所定の信号を交信する。中央処理演算制御手段は、アクセス手段と接続され、アクセス手段からの所定の信号に基づいて、所望の時刻に複数のパレットのうち所望のパレットを車両入出庫口に待機させるように、パレット駆動制御手段へ、所定の時刻に所定の１つの命令を出力する。その中央処理演算制御手段は、さらに、時間を計測する手段と変換手段と記憶手段と入出庫時間を演算する手段と所定の条件を演算判断する手段と入出庫命令を出力する手段とを含んでいる。変換手段は所定の信号に所定の変換を加える。記憶手段は変換手段により変換された信号を記憶する。入出庫を演算する手段は、パレット駆動制御手段から出力される複数のパレットのある時刻における位置に関する情報を含む機械式駐車設備の状態に関する情報信号により、その位置から入出庫口までパレットを移動するのに要する時間である入出庫時間を演算する。所定の条件を判断する手段は、入出庫時間と、アクセス手段から出力される所望の入出庫時刻として設定される入出庫予約時刻とに基づいて、入出庫予約時刻から入出庫時間を差し引いた時刻が現在の時刻と同じか、または、現在の時刻より後かという条件を演算判断する。その条件の演算判断を一定時間ごとに更新しつつ、所望のパレットについて、条件が満たされるときに、入出庫命令を出力する手段は、所定の１つの命令としてパレット駆動制御手段へ入出庫命令を出力する。そして、中央処理演算制御手段は、出庫にあたっては、所望のパレットが車両入出庫口に到達した時点で、その所望のパレットが待機していることを機械式駐車設備から離れた場所へ知らせるようにアクセス手段へ所定の他の命令を出力する。


【手続補正３】
【補正対象書類名】明細書
【補正対象項目名】００１０
【補正方法】変更
【補正の内容】
【００１０】
この構成によれば、機械式駐車設備から離れた場所から所定の通信手段を介して、パレット駆動制御手段へ所定の信号を出し、所望の時刻に所望のパレットを車両入出庫口で待機させるにあたり、アクセス手段から出力される入出庫予約時刻からある時刻におけるパレットの位置に関する情報を含む信号によって、その位置から車両入出庫口までそのパレットを移動するのに要する入出庫時間を差し引いたときの時刻が、現在の時刻と同じか、または、現在の時刻より後かという条件が一定時間ごとに判断される。そして、この条件を満たすときに、パレット駆動制御手段へ入出庫命令を出力して、所望のパレットを車両入出庫口で待機させる。そして、中央処理演算制御手段は、所望のパレットが車両入出庫口で待機していることを機械式駐車設備から離れた場所にいる運転者へ知らせる。その結果、運転者は車両入出庫口で待たされることなく、所望の自動車の出庫をスムースに行なうことができる。


【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
本発明の他の局面における機械式駐車設備の遠隔制御装置は、車両入出庫口に、自動車を載置するための複数のパレットに自動車を搬出入するとともに、複数のパレットを相互に連結した状態で循環移動、あるいは、複数のパレットのうち特定のパレットを往復移動させるパレット駆動手段と、そのパレット駆動手段を制御するためのパレット駆動制御手段と、そのパレット駆動制御手段に、自動車の搬出入のための命令を入力するパレット駆動命令入力手段とを備えた機械式駐車設備を遠隔制御する機械式駐車設備の遠隔制御装置であって、アクセス手段と中央処理演算制御手段とを有している。アクセス手段は、機械式駐車設備から離れた場所と所定の通信手段を介して所定の信号を交信する。中央処理演算制御手段は、アクセス手段と接続され、アクセス手段からの所定の信号に基づいて、所望の時刻に複数のパレットのうち所望のパレットを車両入出庫口に待機させるように、パレット駆動制御手段へ所定の時刻に所定の１つの命令を出力する。その中央処理演算制御手段は、さらに、時間を計測する手段と変換手段と記憶手段と入出庫時間を演算する手段と所定の条件を演算判断する手段と入出庫命令を出力する手段とを含んでいる。変換手段は所定の信号に所定の変換を加える。記憶手段は変換手段により変換された信号を記憶する。入出庫を演算する手段は、パレット駆動制御手段から出力される複数のパレットのある時刻における位置に関する情報を含む機械式駐車設備の状態に関する情報信号により、その位置から入出庫口までパレットを移動するのに要する時間である入出庫時間を演算する。所定の条件を判断する手段は、入出庫時間と、アクセス手段から出力される所望の入出庫時刻として設定される入出庫予約時刻とに基づいて、入出庫予約時刻から入出庫時間を差し引いた時刻が現在の時刻と同じか、または、現在の時刻より後かという条件を演算判断する。その条件の演算判断を一定時間ごとに更新しつつ、所望のパレットについて、条件が満たされるときに、入出庫命令を出力する手段は、所定の１つの命令としてパレット駆動制御手段へ入出庫命令を出力する。そして、中央処理演算制御手段は、出庫にあたって、所望のパレットが入出庫口に到達した後に、パレット駆動命令手段により、所望のパレットに載置された自動車とは異なる自動車の搬出入のための命令が入力された場合には、その自動車の搬出入が完了した時点で、所望のパレットを入出庫口に移動待機させるようにパレット駆動制御手段へ所定の他の命令を出力する。


【手続補正７】
【補正対象書類名】明細書
【補正対象項目名】００１４
【補正方法】変更
【補正の内容】
【００１４】
この構成によれば、機械式駐車設備から離れた場所から所定の通信手段を介してパレット駆動制御手段へ所定の信号を出し、所望の時刻に所望のパレットを車両入出庫口で待機させるにあたり、アクセス手段から出力される入出庫予約時刻から、ある時刻におけるパレットの位置に関する情報を含む信号によって、その位置から車両入出庫口までそのパレットを移動するのに要する入出庫時間を差し引いたときの時刻が、現在の時刻と同じか、または、現在の時刻より後かという条件が一定時間ごとに判断される。そして、この条件を満たすときにパレット駆動制御手段へ入出庫命令を出力して、所望のパレットを車両入出庫口で待機させる。そして、中央処理演算制御手段は、所望のパレットが待機している間にパレット駆動命令手段より自動車の搬出入のための命令が入力された場合には、優先的にその自動車の搬出入を行って、その自動車の搬出入が完了した時点で、再び先ほどの所望のパレットを入出庫口まで移動させて待機させる。その結果、機械式駐車設備の近傍にいる運転者も、機械式駐車設備から離れた場所にいる運転者も車両入出庫口で待たされる時間を大幅に短縮することができる。


【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】